(57)【要約】【課題】繰り返し洗濯でき、洗濯後の乾燥に時間を要せず、既存のランドセルにも後付け可能な背負い鞄用クッションと、該背負い鞄用クッションを備えたクッション付き背負い鞄の提供。【解決手段】背当て部材と背負い鞄の背中当接面に対する装着手段を備え、背当て部材の正面側に通気手段を有し、背負い鞄の背中当接面に対する装着手段は雄面ファスナーシートと接着手段を有する雌面ファスナー部材とからなり、背当て部材は、多数の通気孔を有するメッシュシートと、雄面ファスナーシートと、メッシュシートと雄面ファスナーシートの縁部相互を固着する固着手段とを備え、且つ、緩衝材を内包しない構成とし、雌面ファスナー部材は裏面に接着手段を備え、雄面ファスナーシートは、ファスナーシート基材と雄係合子を一体成形し、且つ、雄係合子の直立部分が根元側から係合子の先端側へ至って細くなるテーパー状とした背負い鞄用クッション。【選択図】図５
0003134277.tif 000002
【実用新案登録請求の範囲】
【請求項１】
背当て部材と背負い鞄の背中当接面に対する装着手段を備え、背当て部材の正面側に通気手段を有し、背負い鞄の背中当接面に対する装着手段は雌雄の面ファスナー手段である背負い鞄用クッションにおいて、
雌雄の面ファスナー手段は、雄面ファスナーシートと接着手段を有する雌面ファスナー部材とからなり、
背当て部材は、多数の通気孔を有するメッシュシートと、前記雄面ファスナーシートと、前記メッシュシートと雄面ファスナーシートの縁部相互を固着する固着手段とを備え、且つ、緩衝材を内包しない構成とし、
前記雌面ファスナー部材は裏面に接着手段を備え、
前記雄面ファスナーシートは、ファスナーシート基材と雄係合子を一体成形してなり、且つ、雄係合子の直立部分が根元側から係合子の先端側へ至って細くなるテーパー状としたことを特徴とする背負い鞄用クッション。
【請求項２】
背当て部材は、メッシュシートと雄面ファスナーシートの間に通気空間を形成したことを特徴とする請求項１記載の背負い鞄用クッション。
【請求項３】
雄面ファスナーシートに通気手段を形成したことを特徴とする請求項１又は２記載の背負い鞄用クッション。
【請求項４】
請求項１、２又は３記載の背負い鞄用クッションを備え、背当て部材を着脱自在としたことを特徴とするクッション付き背負い鞄。
【考案の詳細な説明】
【技術分野】
【０００１】
本考案は、ランドセル、リュックサック等の背負い鞄（以下、単に背負い鞄という。）の背中当接面に装着して、使用者の背部に当接する背負い鞄用クッション、及び該背負い鞄用クッションを備えた背負い鞄の改良に関する。
【背景技術】
【０００２】
従来、背負い鞄における背中当接面に装着する背負い鞄用クッションが、種々考案されている。これらの背負い鞄用クッションは、背負い鞄と着用者の背中との間での通気性を良好とし、着用者の背中の発汗や蒸れを抑え、背負い鞄に対する着脱の容易性、装着した際の快適性等を目的としたものである。
【０００３】
上記構成の一つとして、鞄の構成の一部であるが、背負い鞄の背中当接面に、背中用緩衝体を、面ファスナーにより接離自在にして取付けてなる構造が公知である（例えば特許文献１請求項５で引用する請求項１参照。）。
【０００４】
【特許文献１】特開２００６−１２２５４３号公報
【考案の開示】
【考案が解決しようとする課題】
【０００５】
上記特許文献１に係る発明は、背負い鞄の構成の一部であるが、面ファスナー手段を用いて、背負い鞄と背中用緩衝体とが着脱可能であること、そして、取り外した背中用緩衝体は洗浄若しくは交換が可能であることが開示されている。
【０００６】
しかし、背中用緩衝体の洗浄について、家庭用洗濯機による洗濯を行うと、家庭用洗濯機の洗濯槽内の埃や糸くず等が面ファスナー手段の係合子内に付着し、面ファスナー手段の係着力は著しく低下する。また埃や糸くずを面ファスナー手段から除去することは非常に労力を要する。
【０００７】
また、一方で、スポンジや多層のメッシュ等の緩衝材を用いて緩衝機能を発揮させる構成としていることから、洗濯のように水に浸ける洗浄を行うと、緩衝材の内部まで十分な乾燥が必要であり、乾燥が不十分であると、特に緩衝材は荷物の収納されたランドセルと着用者の背中で圧迫されるため、使用時に着用者の背中へ水が滲み出して、着用者の衣類を濡らすこととなる。
【０００８】
従って、洗浄の方法として、洗濯を行うと、その後の乾燥に長時間を要することとなる。
【０００９】
本考案は以上の事情に鑑みてなされたものであり、十分な通気性を確保した上で、繰り返しの洗濯が可能であるだけでなく、埃や糸くずの付着が殆どなく、また、洗濯後の乾燥時間が非常に短く、既存のランドセルにおいても後付け可能な背負い鞄用クッションの提供、及び、クッション付き背負い鞄を、考案が解決しようとする課題とするものである。
【課題を解決するための手段】
【００１０】
本考案は、背当て部材と背負い鞄の背中当接面に対する装着手段を備え、背当て部材の正面側に通気手段を有し、背負い鞄の背中当接面に対する装着手段は雌雄の面ファスナー手段である背負い鞄用クッションにおいて、雌雄の面ファスナー手段は、雄面ファスナーシートと接着手段を有する雌面ファスナー部材とからなり、背当て部材は、多数の通気孔を有するメッシュシートと、前記雄面ファスナーシートと、前記メッシュシートと雄面ファスナーシートの縁部相互を固着する固着手段とを備え、且つ、緩衝材を内包しない構成とし、前記雌面ファスナー部材は裏面に接着手段を備え、前記雄面ファスナーシートは、ファスナーシート基材と雄係合子を一体成形してなり、且つ、雄係合子の直立部分が根元側から係合子の先端側へ至って細くなるテーパー状としたことを特徴とする背負い鞄用クッションを、課題を解決するための手段とする。
【００１１】
また本考案は、上記背負い鞄用クッションにおいて、背当て部材は、メッシュシートと雄面ファスナーシートの間に通気空間を形成した背負い鞄用クッションを、課題を解決するための手段とする。
【００１２】
更に本考案は、上記考案の構成に加え、雄面ファスナーシートに通気手段を形成したことを特徴とした背負い鞄用クッションを、課題を解決するための手段とする。
【００１３】
また、本考案は、上記構成を備えた背負い鞄用クッションを備え、背当て部材を着脱自在としたクッション付き背負い鞄を、課題を解決するための手段とする。
【考案の効果】
【００１４】
本考案によれば、背当て部材を備え、背当て部材の正面側に通気手段を有し、背負い鞄の背中当接面に対する装着手段は雌雄の面ファスナー手段である背負い鞄用クッションにおいて、雌雄の面ファスナー手段は、雄面ファスナーシートと接着手段を有する雌面ファスナー部材とからなり、背当て部材は、多数の通気孔を有するメッシュシートと、前記雄面ファスナーシートと、前記メッシュシートと雄面ファスナーシートの縁部相互を固着する固着手段とを備え、前記雄面ファスナーシートは、ファスナーシート基材と雄係合子を一体成形してなり、緩衝材を内包しないことで、洗濯時に緩衝材内に多量の水分が含有されることがなく、且つ、雄係合子の直立部分が根元側から係合子の先端側へ至って細くなるテーパー状としたことから、外部からの埃や糸くずが係合子間に入りにくくなり、洗濯時の埃や糸くずの付着を防止し、埃や糸くずの付着による係着力の低下を大幅に低減することができ、この結果、繰り返しの洗濯に極めて適した優れた背負い鞄用クッションとすることができる。
【００１５】
そして、雌雄の面ファスナーは雌面ファスナー部材を背負い鞄の背中当接面側に配置することで、背負い鞄用クッションの背当て部材を（洗濯などの理由で）取り外した状態でランドセルを着用する際に、背負い鞄の背中当接面に貼着した雌面ファスナー部材の係合子が衣服と接触して引っ掛かることがなく、衣服生地の傷みを防止する機能を兼備できる。
【００１６】
更に、本考案における雌面ファスナー部材の裏面に接着手段を有していることから、当初から背負い鞄用クッションを有していない背負い鞄にも取付けて使用することができる。また、雌面ファスナー部材の貼着位置は、自由に決定することができることから、背負い鞄の大きさや形状に合わせて最適な位置を選択することができる。
【００１７】
請求項２に係る考案によれば、上記構成に加えて、背当て部材は、メッシュシートと雄面ファスナーシートの間に通気空間を形成したことから、表面のメッシュシートの通気孔と通気空間が連通し、更に、本考案の特徴である上記した緩衝材を内包しない構成によって、十分な通気性を確保することができる。
【００１８】
更に、請求項３に係る考案によれば、上記構成に加えて、雄面ファスナーシートに通気手段を形成することで、表側のメッシュシートの通気孔と雄面ファスナーシートの通気手段とが連通する通気路が形成され、（請求項２記載の通気空間を形成した構成を兼備するのであれば、メッシュシートの通気孔と通気空間と雄面ファスナーシートの通気手段とが連通する通気路が形成され、）全体として非常に良好な通気性を発揮し、洗濯時には、これらの通気路が通水路となって、極めて清浄な状態に洗浄でき、洗濯に要した水が多量に溜まることもなく、十分な通気性と表面積の増加によって、洗濯後の乾燥を容易に行うことができる。
【００１９】
請求項４に係る考案によれば、上記した着脱自在で迅速な洗濯乾燥が可能で、面ファスナーの係着力の低下も殆どない背負い鞄用クッションを備えたことによって、常に快適で清潔な状態を保つことができるクッション付き背負い鞄とすることができる。
【考案を実施するための最良の形態】
【００２０】
本考案は、背当て部材と背負い鞄の背中当接面に対する装着手段を備え、背当て部材の正面側に通気手段を有し、背負い鞄の背中当接面に対する装着手段は雌雄の面ファスナー手段である背負い鞄用クッションにおいて、雌雄の面ファスナー手段は、雄面ファスナーシートと接着手段を有する雌面ファスナー部材とからなり、背当て部材は、多数の通気孔を有するメッシュシートと、前記雄面ファスナーシートと、前記メッシュシートと雄面ファスナーシートの縁部相互を固着する固着手段とを備え、且つ、緩衝材を内包しない構成とし、前記雌面ファスナー部材は裏面に接着手段を備え、前記雄面ファスナーシートは、ファスナーシート基材と雄係合子を一体成形してなり、且つ、雄係合子の直立部分が根元側から係合子の先端側へ至って細くなるテーパー状とし、背当て部材は、メッシュシートと雄面ファスナーシートの間に通気空間を形成し、雄面ファスナーシートに通気手段を形成したことによって、繰り返しの洗濯時においても、埃や糸くずの付着を防止して、埃や糸くずの付着による係着力の低下を大幅に低減することができ、内部に洗濯に要した水が溜まることもなく、繰り返しの洗濯に極めて適し、洗濯後の乾燥を短時間で行うことができる、衛生的な背負い鞄用クッションを実現した。
【実施例】
【００２１】
（実施例１）
図１は本考案の実施例１に係る背負い鞄用クッションＣを示す正面図、図２は同実施例１に係る背負い鞄用クッションＣを示す背面図、図３は同実施例１に係る背負い鞄用クッションＣを示す平面図、図４は図１のＡ−Ａ断面図及びランドセルの背中当接面に貼着した雌面ファスナー部材と背当て部材とを対向させた状態における、背当て部材の縁部、及びランドセルの一部、雌面ファスナー部材を示す一部断面図、図５は実施例１に係る背負い鞄用クッションＣをランドセルの背中当接面に装着した状態を示す斜視図、図６は同実施例１に係る背負い鞄用クッションＣとランドセルを取り外した状態を示す斜視図である。
【００２２】
本考案の実施例１に係る背負い鞄用クッションＣは、背負い鞄のうち特にランドセル３に最適な形状としたものである。該背負い鞄用クッションＣは、背当て部材１と雌面ファスナー部材２とからなる。前記背当て部材１は、メッシュシート１２と、雄面ファスナーシート１１と、前記メッシュシート１２の縁部及び雄面ファスナーシート１１の縁部の固着手段である縁被覆材１４及び縫合糸１５からなる。このため、従来の背負い鞄用クッションが内包していた緩衝材を有しない構成である。
【００２３】
メッシュシート１２は、厚さ約２ｍｍで、表面から裏面へ貫通する多数の通気孔１２０を有している。背当て部材１は、図１乃至図３に示すように、幅２４５ｍｍ程度、中央高さ２２０ｍｍ程度、左右高さ２５０ｍｍ程度、厚さ４ｍｍ程度の大きさを有する。図１の正面図に示すように、中央上方位置の輪郭は、クッション付き背負い鞄３であるランドセル３ａのショルダーベルトの上端側連結具を回避するための湾曲形状としてある。本実施例１に係る背当て部材１は、図１に示すように表面側（即ち、着用者の背中に当接する側）には、背当て部材１０であるメッシュシート１２が表れる。メッシュシート１２は着用者の背中に当接する側となる。また、図２に示す背面側（即ち、ランドセル３ａの背中当接面に対向する側）には、雄面ファスナーシート１１の雄係合子１１０が表れる。
本実施例１に係る背当て部材１は、ランドセル３ａの背中当接面３０のほぼ全体を被覆する。
【００２４】
本実施例１における雄面ファスナーシート１１は、ファスナーシート基材と雄係合子を一体成形してなり、且つ、雄係合子の直立部分が根元側から該雄係合子の先端側へ至って細くなるテーパー状としたものである。ファスナーシート基材と雄係合子を一体成形し、雄係合子の根元側は、該雄係合子の幅が大きいことで、雄係合子の耐久強度が高い利点を有する。
【００２５】
そして、雄係合子の根元側は、該雄係合子の幅が大きく、隣り合う雄係合子間の隙間が非常に小さくなる。このため、雄係合子の根元側まで埃や糸くずなどが侵入し難くなり、洗濯時等において、埃や糸くずの付着を大幅に低減することができる。
【００２６】
本実施例１における雌面ファスナー部材２は、裏面側に接着手段として接着剤層と剥離紙層を順次積層した構成であり、剥離紙層を除き、横１６ｍｍ、縦３２ｍｍ、厚さ２ｍｍ程度の小片である。図４に示すように、剥離紙層を取り除いた状態で接着剤層によってランドセル３ａの背中当接面３０に対して接着し、雌面ファスナー部材２を取付けるものである。
【００２７】
本実施例１に係る背負い鞄用クッションＣは、上記構成によって、薄手で、洗濯時には洗濯に要する水が内部に溜まることも殆どなく、且つ、メッシュ生地の表面に形成された多数の通気孔によって表面積を大きく形成してあり、当該通気孔によって通気性を発揮するだけでなく、洗濯後の乾燥も容易となる。そして、雄面ファスナーシートの係合子の直立部分が根元側から係合子の先端側へ至って細くなるテーパー状としてあるので、洗濯時の埃や糸くずの付着を大幅に低減でき、この結果、例えば、ランドセルを毎日使用している合間でも、背負い鞄用クッションの洗濯乾燥を行うことができ、また、繰り返しの洗濯によっても雄面ファスナーシートの係着力も維持できるため、常に衛生的な状態を保つことができる。
【００２８】
（実施例２）
図７は本考案の実施例２に係る背負い鞄用クッションＣを示す正面図、図８は同実施例２に係る背負い鞄用クッションＣを示す背面図、図９は同実施例２に係る背負い鞄用クッションを示す平面図、図１０は図７のＢ−Ｂ断面図及びランドセルの背中当接面に貼着した雌面ファスナー部材と背当て部材とを対向させた状態における、背当て部材の縁部、及びランドセルの一部、雌面ファスナー部材を示す一部断面図である。
【００２９】
本考案の実施例２に係る背負い鞄用クッションＣは、実施例１と同様に、背当て部材１と雌面ファスナー部材２とからなり、前記背当て部材１は、メッシュシート１２と、雄面ファスナーシート１１と、前記メッシュシート１２の縁部及び雄面ファスナーシート１１の縁部の固着手段である縁被覆材１４及び縫合糸１５からなり、従来の背負い鞄用クッションが内包していた緩衝材を有しない構成である。
【００３０】
本実施例２に係る背負い鞄用クッションＣは、図１０に示すように、背当て部材１において、メッシュシート１２と雄面ファスナーシート１１との間に通気空間を備えた構成である。
また、雄面ファスナーシート１１には、図８に示すように、通気手段として直径５ｃｍ程度の貫通穴１１１を６箇所に配列して形成した構成である。
【００３１】
当該構成によって、メッシュシート１２に形成されたメッシュシート通気穴１２０と通気空間１３と上記複数の貫通穴１１１が連通することで、背当て部材１の表面から裏面までを通気させることができる。また、洗濯時には、実施例１よりも更に通水性を向上させることができ、洗濯後の乾燥も更に短時間で行うことができる。
【００３２】
尚、上記した雄面ファスナーシートに形成した貫通穴１１１の形状、大きさ、数については、本考案において特に限定するものではない。
【図面の簡単な説明】
【００３３】
【図１】本考案の実施例１に係る背負い鞄用クッションを示す正面図である。
【図２】本考案の実施例１に係る背負い鞄用クッションを示す背面図である。
【図３】本考案の実施例１に係る背負いカバン用通気部材を示す平面図である。
【図４】本考案の実施例１に係る背負い鞄用クッションのＡ−Ａ断面図及びランドセルの背中当接面に貼着した雌面ファスナー部材と背当て部材とを対向させた状態における、背当て部材の縁部、及びランドセルの一部、雌面ファスナー部材を示す一部断面図である。
【図５】本考案の実施例１に係る背負い鞄用クッションをランドセルの背中当接面に装着した状態を示す斜視図である。
【図６】本考案の実施例１に係る背負い鞄用クッションとランドセルを取り外した状態を示す斜視図である。
【図７】本考案の実施例２に係る背負い鞄用クッションＣを示す正面図である。
【図８】本考案の実施例２に係る背負い鞄用クッションＣを示す背面図である。
【図９】本考案の実施例２に係る背負い鞄用クッションを示す平面図である。
【図１０】本考案の実施例２に係る背負い鞄用クッションＣのＢ−Ｂ断面図及びランドセルの背中当接面に貼着した雌面ファスナー部材と背当て部材とを対向させた状態における、背当て部材の縁部、及びランドセルの一部、雌面ファスナー部材を示す一部断面図である。
【符号の説明】
【００３４】
Ｃ        背負い鞄用クッション
１        背当て部材
１１      雄面ファスナーシート
１１０    雄係合子
１１１    貫通穴
１２      メッシュシート
１２０    メッシュシート通気孔
１３      通気空間
１４      縁被覆材
１５      縫合糸
２        雌面ファスナー部材
２０      雌係合子
３        クッション付き背負い鞄
３ａ      ランドセル
３０      背中当接面
３１      連結具
【図１】
0003134277.tif 000003
【図２】
0003134277.tif 000004
【図３】
0003134277.tif 000005
【図４】
0003134277.tif 000006
【図５】
0003134277.tif 000007
【図６】
0003134277.tif 000008
【図７】
0003134277.tif 000009
【図８】
0003134277.tif 000010
【図９】
0003134277.tif 000011
【図１０】
0003134277.tif 000012